(57)【要約】  第１のギアホイール部分（１２１）を担持する凹部（１２０）を有する取付部（１１０）を有する照明器具（１００）であって、第２のギアホイール部分（１３１）を担持する少なくとも１つの突出部（１３０）が、凹部の横に位置する、照明器具と、取付部と係合するための取付体（２００）であって、第１のギアホイール部分と係合するための第１のさらなるギアホイール部分（２２１）を担持する突出端部部分（２２０）と、前記端部部分の横に位置し、第１のさらなるギアホイール部分が第１のギアホイール部分と係合する場合に同時に第２のギアホイール部分と係合するように構成される第２のさらなるギアホイール部分（２３１）を担持する少なくとも１つの凹側部分（２３０）とを有する、取付体とを含む、照明器具取付キット（１０）が開示されている。照明器具アセンブリ及びこのような照明器具キットを取付面に取り付ける方法も開示されている。
2021527935.tif 000002
【特許請求の範囲】
【請求項１】
第１のギアホイール部分を担持する凹部を有する取付部を有する照明器具であって、第２のギアホイール部分を担持する少なくとも１つの突出部が、前記凹部の横に位置する、照明器具と、
前記取付部と係合するための取付体であって、
前記第１のギアホイール部分と係合するための第１のさらなるギアホイール部分を担持する突出端部部分と、
前記端部部分の横に位置し、前記第１のさらなるギアホイール部分が前記第１のギアホイール部分と係合する場合に同時に前記第２のギアホイール部分と係合するように構成される第２のさらなるギアホイール部分を担持する少なくとも１つの凹側部分と、
を有する、取付体と、
を含む、照明器具取付キットであって、
前記第１のギアホイール部分は凹状に形成され、前記第１のさらなるギアホイール部分は凸状に形成され、各第２のギアホイール部分は凸状に形成され、各第２のさらなるギアホイール部分は凹状に形成される、照明器具取付キット。
【請求項２】
前記取付部は、前記凹部の両側に位置し、各々第２のギアホイール部分を有する一対の突出部を有し、
前記取付体は、前記突出端部部分の両側に位置し、各々前記第１のさらなるギアホイール部分が前記第１のギアホイール部分と係合する場合に同時にそれぞれの第２のギアホイール部分と係合するように構成される第２のさらなるギアホイール部分を有する一対の凹側部分を有する、請求項１に記載の照明器具取付キット。
【請求項３】
前記凹側部分は、前記取付体の本体から延びている、請求項１又は２に記載の照明器具取付キット。
【請求項４】
当該照明器具取付キットは、少なくとも１つのガイドピンを含み、
各突出部は、前記少なくとも１つのガイドピンを受け入れるための取付穴及びチャネルのうちの一方を有し、前記取付体の各側は、前記取付穴及び前記チャネルのうちの他方を有し、前記チャネルは、前記取付部の前記第１のギアホイール部分及び前記第２のギアホイール部分が、前記取付体のそれぞれの前記第１のさらなるギアホイール部分及び前記第２のさらなるギアホイール部分と係合される第１のコンフィギュレーションと、前記取付部の前記第１のギアホイール部分及び前記第２のギアホイール部分が、前記取付体のそれぞれの前記第１のさらなるギアホイール部分及び前記第２のさらなるギアホイール部分から係合解除される第２のコンフィギュレーションとの間で、前記照明器具の前記取付部に対する前記取付体の変位を可能にする、請求項１乃至３のいずれか一項に記載の照明器具取付キット。
【請求項５】
当該照明器具取付キットは、一対の前記ガイドピンを有し、
各突出部は、前記一方の前記ガイドピンを受け入れるための前記取付穴を有し、前記取付体の各側は、前記チャネルを有する、請求項４に記載の照明器具取付キット。
【請求項６】
前記取付体の前記第１のさらなるギアホイール部分及び前記第２のさらなるギアホイール部分と、前記取付部の前記第１のギアホイール部分及び前記第２のギアホイール部分とが、前記照明器具と前記取付体の間の固定角度が−２０°〜２０°の範囲内で調整されることができるように寸法決めされる、請求項１乃至５のいずれか一項に記載の照明器具取付キット。
【請求項７】
各第２のギアホイール部分は、一対のストップ部分の間に位置し、前記ストップ部分は、前記第２のギアホイール部分に対する各第２のさらなるギアホイール部分の変位範囲を制限する、請求項１乃至６のいずれか一項に記載の照明器具取付キット。
【請求項８】
当該照明器具取付キットは、前記取付体を前記照明器具の前記取付部に締結するための一対の締結ねじを含む、請求項１乃至７のいずれか一項に記載の照明器具取付キット。
【請求項９】
前記側部分の各々は、前記締結ねじのうちの１つを受け入れるためのスロットを画定し、
各突出部は、前記締結ねじのうちの１つを固定するためのねじ穴を有する、請求項８に記載の照明器具取付キット。
【請求項１０】
前記照明器具は街路灯である、請求項１乃至９のいずれか一項に記載の照明器具取付キット。
【請求項１１】
前記取付体は、前記照明器具を取付ポストに取り付けるためのスピゴットである、請求項１乃至１０のいずれか一項に記載の照明器具取付キット。
【請求項１２】
請求項１１に記載の照明器具取付キットと取付ポストとを含む、照明器具アセンブリ。
【請求項１３】
請求項１乃至１１のいずれか一項に記載の照明器具取付キットを取付面に取り付ける方法であって、
前記取付体を前記取付面に取り付けることと、
前記取付体を前記取付部に入れることと、
前記照明器具を前記取付体に対して所望の向きに位置決めすることと、
前記照明器具を前記取付体に固定することと、
を含む、方法。
【請求項１４】
前記照明器具を前記取付体に対して所望の向きに位置決めすることは、
前記取付部の前記第１のギアホイール部分及び前記第２のギアホイール部分を、前記取付体のそれぞれの前記第１のさらなるギアホイール部分及び前記第２のさらなるギアホイール部分から係合解除することと、
前記所望の向きを得るために前記取付体に対する前記照明器具の向き角度を調整することと、
前記取付部の前記第１のギアホイール部分及び前記第２のギアホイール部分を、前記取付体のそれぞれの前記第１のさらなるギアホイール部分及び前記第２のさらなるギアホイール部分と係合させることと、
を含む、請求項１３に記載の方法。
【発明の詳細な説明】
【技術分野】
【０００１】
本発明は、第１のギアホイール部分を有する取付部を有する照明器具と、取付部と係合するための取付体とを含む照明器具取付キットであって、取付体は、第１のギアホイール部分と係合するための第１のさらなるギアホイール部分を有する、照明器具取付キットに関する。
【０００２】
本発明はさらに、このような照明器具取付キットを含む照明器具アセンブリに関する。
【０００３】
本発明はさらに、このような照明器具キットを取付面に取り付ける方法に関する。
【背景技術】
【０００４】
道路照明等の一部の照明アプリケーション分野では、設置時に、取付面に対する照明器具の向きが、照らされることが意図されたターゲット領域に照明器具の光出力を方向付けるために調整されることができるように、照明器具は、取付面に調整可能に取り付けられるべきである。このような設置は、照明器具の重量と、設置者が頭上で作業して照明器具をそのターゲット取付面（例えば街路照明の場合は取付ポスト）に取り付ける必要があることとが相まって、面倒であり得る。
【０００５】
このような設置を容易にするために、照明器具の向きが調整されることを可能にする、インターフェース又は取付体が、照明器具と取付面の間に使用されることがある。例えば、中国特許出願ＣＮ１０５１５３０７Ａには、回転機構及び回転機構を用いた街路灯が開示されている。回転機構は、ランプ台座のランプヘッドを取り付けるためのフレームと、ランプキャップ固定要素と、押え板とを有する。ランプヘッドベースは、回転軸の溝及び円弧状の溝が設けられた内壁を有する回転キャビティを有する。回転キャビティの上部には、押え板と係合するための固定規制歯を有する固定部が設けられている。ランプキャップ固定要素は、ランプロッドを連結固定するためのランプロッドジョイントを有する。ランプロッドジョイントの上部には、ランプヘッドベースと係合する可動調整可能ギアが設けられており、ランプロッドジョイント及び押え板が、街路灯をその所望の向きに固定するために使用される。
【０００６】
このような設計の不利な点は、このようなランプ又は照明器具の設置がかなり面倒であること、及び、ギア機構が応力に弱く、取付機構の早期故障につながる可能性があることである。したがって、これらの不利な点の少なくとも一部が解決された、代替的な照明器具取付キットを提供する必要性が存在する。
【発明の概要】
【発明が解決しようとする課題】
【０００７】
本発明は、取付面への照明器具の直接的な設置(straightforward installation)を容易にする及び／又は取付機構にかかる応力に対して堅牢である照明器具取付キットを提供しようとするものである。
【０００８】
本発明はさらに、このような照明器具取付キットを含む照明器具アセンブリを提供しようとするものである。
【０００９】
本発明はさらに、このような照明器具キットを取付面に取り付ける方法を提供しようとするものである。
【課題を解決するための手段】
【００１０】
一態様によれば、第１のギアホイール部分を担持する凹部(recessed section)を有する取付部(mounting section)を有する照明器具であって、第２のギアホイール部分を担持する少なくとも１つの突出部(protruding section)が、凹部の横に位置する(flank)、照明器具と、取付部と係合するための取付体(mounting body)であって、第１のギアホイール部分と係合するための第１のさらなるギアホイール部分を担持する突出端部部分(protruding end portion)と、端部部分の横に位置し、第１のさらなるギアホイール部分が第１のギアホイール部分と係合する場合に同時に第２のギアホイール部分と係合するように構成される第２のさらなるギアホイール部分を担持する少なくとも１つの凹側部分(recessed side portion)とを有する、取付体とを含む、照明器具取付キット(luminaire mounting kit)が提供される。
【００１１】
照明器具及びその取付インターフェース、すなわち、取付体の両方が、互いに対して段差のある複数のギアホイールを有する取付機構を提供することにより、照明器具と取付体の間の結合部にかかる応力（力）がより広いエリアに分散されるので、照明器具は、取付面に取り付けられた場合に、部品の故障に対してより堅牢になり、それにより、取付機構の早期故障のリスクが低減される。この点で、本願の文脈において、ギアホイールは、複数の歯(tooth)又はコグ(cog)を有する整合した弧状表面部(matching arcuate surface segment)とインターフェースするための複数の歯又はコグを有する弧状表面部を対象とすることが意図されていることに留意されたい。前述から理解されるように、「ホイール部分(wheel portion)」という用語は、以下でさらに詳細に説明されるように、必ずしも閉じた構造(closed structure)を示すものではなく、必ずしも軸等の周りを回転できる構造を示すものでもない。
【００１２】
照明器具取付部及び取付体の各々におけるホイールギア部分は、取付面に取り付けられた場合に取付部と取付体の間で取付力をさらに分散させるために相対する弧状形状を有してもよい。例えば、第１のギアホイール部分は凹状に形成されてもよく、第１のさらなるギアホイール部分は凸状に形成されてもよく、各第２のギアホイール部分は凸状に形成されてもよく、各第２のさらなるギアホイール部分は凹状に形成されてもよい。
【００１３】
一実施形態では、取付部は、凹部の両側に位置し、各々第２のギアホイール部分を有する一対の突出部を有し、取付体は、突出端部部分の両側に位置し、各々第１のさらなるギアホイール部分が第１のギアホイール部分と係合する場合に同時にそれぞれの第２のギアホイール部分と係合するように構成される第２のさらなるギアホイール部分を有する一対の凹側部分を有する。この構成は、取付機構の堅牢性をさらに向上させ、取付面への照明器具の取り付けを容易にする。
【００１４】
凹側部分は、例えば、取付体の簡単且つ費用対効果の高い製造を可能にするために、取付体の本体(main body)から延びてもよい。
【００１５】
好ましい実施形態では、照明器具取付キットは、少なくとも１つのガイドピンを含み、各突出部は、少なくとも１つのガイドピンを受け入れるための取付穴(mounting hole)及びチャネルのうちの一方を有し、取付体の各側は、取付穴及びチャネルのうちの他方を有し、チャネルは、取付部の第１のギアホイール部分及び第２のギアホイール部分が、取付体のそれぞれの第１のさらなるギアホイール部分及び第２のさらなるギアホイール部分と係合される第１のコンフィギュレーション(configuration)と、取付部の第１のギアホイール部分及び第２のギアホイール部分が、取付体のそれぞれの第１のさらなるギアホイール部分及び第２のさらなるギアホイール部分から係合解除(disengage)される第２のコンフィギュレーションとの間で、照明器具の取付部に対する取付体の変位を可能にする。したがって、少なくとも１つのガイドピンと取付体又は照明器具取付部におけるチャネルとの組み合わせは、取付体が、照明器具取付部との係合した関係から係合解除された関係に可逆的に変位されることを可能にし、それにより、照明器具のその取付面に対する向きの調整を、斯かる面に取り付けている場合に容易に行えるようにする。
【００１６】
例えば、照明器具取付キットは、一対のガイドピンを有し、各突出部は、前記一方のガイドピンを受け入れるための取付穴を有し、取付体の各側は、チャネルを有してもよい。一対のこのようなガイドピンを提供することにより、各ガイドピンにかかる力が低減されるので、単一のガイドピンが取付機構を貫通する実施形態と比較してより小さな径のピンが使用されてもよい。
【００１７】
例示的な実施形態では、取付体の第１のさらなるギアホイール部分及び第２のさらなるギアホイール部分と、取付部の第１のギアホイール部分及び第２のギアホイール部分とが、照明器具と取付体の間の固定角度が、−２０°〜２０°の範囲内で調整されることができるように寸法決めされる。本願の文脈において、「固定角度(fixation angle)」という用語は、照明器具取付部のギアホイールに対する取付体のギアホイールの変位を指してもよい。したがって、この固定角度は、取付体が水平面に中心付けられる場合の該水平面に対する照明器具の取付角度(mounting angle)を定義してもよい。
【００１８】
各第２のギアホイール部分は、第２のギアホイール部分に対する各第２のさらなるギアホイール部分の変位範囲を制限する一対のストップ部分(stop portion)の間に位置してもよい。したがって、このようなストップ部分は、所望の又は設計された範囲外の固定角度の下で照明器具が設置されることを防止し、それにより、照明器具の許容可能な固定角度の観点から、設置者が照明器具を正しく設置することを支援する。
【００１９】
照明器具取付キットはさらに、取付体を照明器具の取付部に締結するための一対の締結ねじを含んでもよく、締結ねじは、所望の固定角度の下で照明器具を位置決めする際に、取付体を照明器具に固定するために使用されることができ、それにより、この固定角度の不用意な調整(accidental adjustment)が防止される。このために、側部分の各々は、締結ねじのうちの１つを受け入れるためのスロットを画定してもよく、各突出部は、締結ねじのうちの１つを固定するためのねじ穴を有してもよい。
【００２０】
選択された実施形態では、照明器具は、街路灯であってもよく、及び／又は、取付体は、照明器具を取付ポスト(mounting post)に取り付けるためのスピゴット(spigot)であってもよい。
【００２１】
別の態様によれば、取付体が照明器具を取付ポストに取り付けるためのスピゴットである実施形態等、本明細書で述べられる任意の実施形態の照明器具取付キットと、取付ポストとを含む、照明器具アセンブリが提供される。このような照明器具アセンブリは、直接的に(in a straightforward manner)照明器具を取付ポストに取り付けるための堅牢な取付機構を提供し、それにより、設置者にとって照明器具の設置を容易にする。
【００２２】
さらに別の態様によれば、本明細書で述べられる任意の実施形態の照明器具取付キットを取付面(mounting surface)に取り付ける方法であって、取付体を取付面に取り付けることと、取付体を取付部に入れる(slot)ことと、照明器具を取付体に対して所望の向きに位置決めすることと、照明器具を取付体に固定することとを含む、方法が提供される。このようにして、照明器具は、堅牢且つ直接的に取付ポスト等の取付面に設置されることができる。
【００２３】
好ましくは、照明器具のその所望の向きでの設置を容易にするために、照明器具を取付体に対して所望の向きに位置決めすることは、取付部の第１のギアホイール部分及び第２のギアホイール部分を、取付体のそれぞれの第１のさらなるギアホイール部分及び第２のさらなるギアホイール部分から係合解除することと、所望の向きを得るために取付体に対する照明器具の向き角度(orientation angle)を調整することと、取付部の第１のギアホイール部分及び第２のギアホイール部分を、取付体のそれぞれの第１のさらなるギアホイール部分及び第２のさらなるギアホイール部分と係合させることとを含む。
【図面の簡単な説明】
【００２４】
本発明の実施形態が、添付の図面を参照して、より詳細に、非限定的な例として述べられる。
【図１】一実施形態による取付体と係合した照明器具を概略的に示す。
【図２】一実施形態による照明器具及び取付体を含む照明器具キットの斜視図を概略的に示す。
【図３】一実施形態による照明器具及び取付体を含む照明器具キットの側面図を概略的に示す。
【図４】一実施形態による照明器具キットの取付体の側面図を概略的に示す。
【図５】一実施形態による照明器具キットの照明器具と取付体との間の取付機構の第１の態様の側面図を概略的に示す。
【図６】一実施形態による照明器具キットの照明器具と取付体との間の取付機構のさらなる態様の側面図を概略的に示す。
【図７】一実施形態による照明器具キットの照明器具と取付体との間の取付機構の第１の態様の別の側面図を概略的に示す。
【図８】一実施形態による照明器具キットの照明器具と取付体との間の取付機構のさらなる態様の別の側面図を概略的に示す。
【図９】一実施形態による照明器具キットの照明器具と取付体との間の取付機構の例示的な端部位置の側面図を概略的に示す。
【図１０】係合したコンフィギュレーションにおける一実施形態による照明器具キットの照明器具及び取付体の断面図を概略的に示す。
【発明を実施するための形態】
【００２５】
図面は単に概略的なものであり、縮尺通りに描かれていないことを理解されたい。同じ参照番号は、図面全体にわたって同じ又は類似の部分を示すために用いられることも理解されたい。
【００２６】
図１は、例示的な実施形態例による照明器具取付キット１０を示している。照明器具取付キット１０は、照明器具１００と、照明器具１００を取付面に取り付けるための取付体２００とを含む。例えば、照明器具１００は、街路灯であってもよく、取付体２００は、街路灯を取付ポスト又は他の適切な取付面に取り付けるためのスピゴット等であってもよい。照明器具１００は、任意の適切な形状をとってもよく、任意の適切な数の照明デバイスを備えてもよい。特定の実施形態では、照明器具１００は、ＬＥＤ等の１つ以上の固体照明素子を有するが、もちろん、他の適切なタイプの照明デバイスも同様に企図され得る。
【００２７】
照明器具１００は、照明器具１００の下方の特定のエリアを照らす目的で取付面に取り付けられてもよい。例えば、照明器具１００が街路灯である場合、照明器具１００は、街路、道路、歩道、駐車場、又はオープンスペースにわたる特定の照明プロファイルが望ましい他のタイプの公的にアクセス可能なオープンスペースの特定のエリアを照らすために設置されてもよい。このようなシナリオでよく発生する問題は、照明器具１００が設置されるのに利用可能な場所が限られていることである。それゆえ、これは、照明器具１００と取付体２００との間の係合が、照明器具１００の方向性のある発光出力(directional luminous output)が照らされるべきターゲットエリアに方向付けられ得るように調整可能であることを必要とする。しかしながら、照明器具１００と取付体２００との間に調整可能な機構を設けることは、この係合の構造的完全性を妥協し、この結合機構の寿命を減少させる可能性がある。このために、本発明の少なくとも一部の実施形態は、取付体２００に対する照明器具１００の相対的な向きが直接的に調整されることを可能にする、照明器具１００と取付体２００との間の堅牢な調整可能な結合機構が設けられる照明器具取付キット１０を提供する。
【００２８】
図２は、照明器具１００及び取付体２００の一部が見える、このような照明器具取付キット１０の斜視図を概略的に示し、図３は、その側面図を概略的に示している。とりわけ、本発明の実施形態によれば、照明器具１００は、典型的には、取付ポスト等の取付面に取り付けられるべき照明器具１００の末端部分に位置する、取付部１１０を有する。取付部１１０は、以下では第１のギアホイール部分１２１と称される、規則的なパターンの歯又はコグを担持する凹状の弧状表面部(recessed arcuate surface section)を有する。以下では第２のギアホイール部分１３１と称される、別の規則的なパターンの歯又はコグを担持する弧状の前向きの表面部(arcuate forward facing surface section)を含む少なくとも１つの突出部１３０が、取付部１１０の凹部における第１のギアホイール部分１２１の横に位置する。
【００２９】
とりわけ図２から理解されるように、第１のギアホイール部分１２１と少なくとも１つの第２のギアホイール部分１３１は、同じ方向に向いており、すなわち、同じ仮想平面に面している。言い換えれば、取付部１１０は、凹状の弧状表面部に第１のギアホイール部分１２１を含み、少なくとも１つの突出部１３０の前向きの弧状表面部に第２のギアホイール部分１３１を含む段状のプロファイル(stepped profile)を有し、凹表面部と突出表面部とは、第１のギアホイール部分１２１を担持する凹表面部に面した突出部１３０の側面１３２を介して接続されている。各突出部１３０はさらに、側面１３２に対向するさらなる側面１３４を有し、前向きの弧状表面部が、対向する側面１３２、１３４の間に延びてもよい。このような段状の構成は、照明器具１００の取付部１１０と取付体２００との間の応力が、照明器具１００が取付体２００と係合した場合に、取付部１１０の広いエリアに分散されることを確実にし、それにより、このような係合中に部品が故障するリスクが低減される。なお、図２及び図３では、取付部１１０は、第１のギアホイール部分１２１を担持する凹表面部の対向する側を挟む一対の突出部１３０を有するように示されているが、これは非限定的な例に過ぎず、例えば、本発明の教示から逸脱することなく、２つの突出部１３０のうちの一方を省略することも同様に実現可能であることに留意されたい。
【００３０】
取付部１１０と係合することができるために、取付体２００は、相互的な段状の構成(reciprocal stepped arrangement)を有する。より具体的には、取付体２００は、第１のギアホイール１２１と係合するための第１のさらなるギアホイール２２１を担持する弧状表面部分を有する突出端部部分２２０を有する本体２１０と、端部部分２２０の横に位置する少なくとも１つの凹状の弧状側部分(recessed arcuate side portion)２３０とを有する。取付体２００の詳細な側面図が、図４に概略的に示されている。各凹側部分２３０は、第１のさらなるギアホイール部分２２１が第１のギアホイール部分１２１と係合する場合に同時に第２のギアホイール部分１３１と同時と係合するように構成される第２のさらなるギアホイール部分２３１を担持する、すなわち、取付体２００と照明器具１００の取付部１１０との係合中、すべてのそれぞれのギアホイール部分が同時に互いと係合して、前述のように照明器具１００と取付体２００との間の結合部にかかる応力を再分配する。
【００３１】
特定の実施形態では、１つ以上の凹状の弧状側部分２３０は、本体２１０から延びており、例えば、任意の適切な方法でそれに取り付けられるが、これは非限定的な例に過ぎず、１つ以上の凹状の弧状側部分２３０は、本体２１０の一体的な部分を形成することももちろん同様に実現可能であり、その場合、本体２１０は、段状のプロファイルを有することを理解されたい。しかしながら、１つ以上の凹状の弧状側部分２３０を本体２１０に取り付けることの利点は、本体２１０がより規則的な形状を有し、より費用対効果の高い方法で製造され得ることである。本体２１０は、中空であってもよく、すなわち、照明器具１００が取り付けられるべき取付面の取付部分と係合し得る、キャビティ２０１を画定してもよい。これは、当業者にとってそれ自体よく知られているため、簡潔さのみを考慮して、さらに詳細には説明されない。
【００３２】
図２及び図３に示されるように、第１のギアホイール１２１及び第２のギアホイール（複数可）１３１は、互いに相対する曲率を有してもよく、例えば、第１のギアホイール１２１を担持する弧状表面部は、凹状の曲率を有し、少なくとも１つの突出側部１３０の第２のギアホイール１３１を担持する表面部は、凸状の曲率を有してもよい。前述から理解されるように、結果として、第１のさらなるギアホイール２２１を担持する取付体２００の端部部分２２０は、凸状の曲率を有し、第２のさらなるギアホイール２３１を担持する少なくとも１つの側部分２３０は、凹状の曲率を有する。このような互いに相対する曲率は、照明器具１００の取付部１１０と取付体２００との間のグリップを向上させ、それにより、この係合の堅牢性をさらに向上させるという利点を有する。もちろん、上述の曲率は非限定的な例に過ぎず、他の互いに相対する曲率、例えば、第１のギアホイール１２１を担持する弧状表面部が、凸状の曲率を有し、少なくとも１つの突出側部１３０の第２のギアホイール１３１を担持する表面部が、凹状の曲率を有することも同様に企図され得ることを理解されたい。さらに、疑義を避けるために、代替的な実施形態では、取付部１１０のギアホイール１２１、１３１がすべて同じ曲率を有してもよく、さらなるギアホイール２２１、２３１がすべて取付部１１０のギアホイール１２１、１３１に対して同じ相補的又は相対する曲率を有してもよいことに留意されたい。
【００３３】
本発明の好ましい実施形態によれば、取付体２００に対する照明器具１００の向きの調整は、照明器具１００と取付体２００との間の係合が照明器具１００を取付体２００から物理的に分離することなく解除され得、これにより、取付体２００に対する照明器具１００の向きが、取付体２００が照明器具１００から物理的に離脱されるリスクなく照明器具１００の設置者が直接的に照明器具１００の向きを調整することができるような、係合解除されたコンフィギュレーション(disengaged configuration)において調整され得る、コンフィギュラブルな構成(configurable arrangement)を照明器具１００と取付体２００との間に設けることにより達成され、それにより、先に述べたように、照明器具１００を取付ポスト等の取付面に設置することが容易になる。
【００３４】
このために、照明器具取付キット１０は、照明器具取付キット１０の取付体２００に照明器具１００の取付部１１０を結合する少なくとも１つのガイドピン２０を備える。単一のガイドピン２０の場合、このようなガイドピンは、典型的には、取付部１１０の全幅にわたって延び、当業者によって容易に理解されるように、ガイドピン２０は、固定ピン、ボルト等で固定されてもよい。代替的に、照明器具取付キット１０は、各々が任意の適切な方法で取付体２００上に固定される一対のガイドピン２０を備えてもよい。各ガイドピン２０は、取付部１１０の少なくとも一部を通って延びる場合にガイドピンの滑りを防止するスペーサリング２２を備えてもよい。
【００３５】
例えば、取付部１１０の少なくとも１つの突出部１３０の側面１３２、１３４は、ガイドピン２０を受け入れるためのスルーホール又は開口１３３を有し、取付体２００の本体２１０の側面は、ガイドピン２０を受け入れるためのスリット又はチャネル２３３を有してもよい。代替的に、スリット又はチャネル２３３は、取付部１１０に位置してもよく、スルーホール又は開口１３３は、取付体２００の本体２１０に位置してもよい。チャネル２３３の寸法は、取付体２００が照明器具１００との係合解除されたコンフィギュレーションから係合したコンフィギュレーションへと、及びその逆へと横方向に変位され得るように選択される。これは、第１のギアホイール１２１及び第１のさらなるギアホイール２２１の係合解除されたコンフィギュレーションを示す図５及び係合したコンフィギュレーションを示す図６、並びに、第２のギアホイール１３１及び対向する第２のさらなるギアホイール２３１の係合解除されたコンフィギュレーションを示す図７及び係合したコンフィギュレーションを示す図８に概略的に示されている。照明器具１００の取付部１１０及び取付体２００を通ったガイドピン２０の延在の断面図が、図１０に概略的に示されている。
【００３６】
係合解除されたコンフィギュレーションでは、例えば、取付体２００が取付ポスト等の取付面に取り付けられている場合に、照明器具１００が取付体２００に対して(又はその逆に）回転されてもよい。これは、照明器具１００がその（方向性のある）発光出力を出す方向の調整を可能にする。例えば、照明器具１００の向きは、照明器具１００が、第１の極限位置(extreme position)における図９に概略的に示されるような取付体２００に対して＋２０°の角度から、第２の極限位置における取付体２００に対して−２０°の角度までの下で位置決めされることができるように調整可能であってもよい。極限位置は、照明器具１００が取付体２００に対して位置決めされ得る角度の範囲を定義する。前述したように、この角度は、照明器具１００の中心線と取付体２００の中心線との間の角度として定義されてもよく、取付体２００の中心線が水平面と一致する場合、例えば、取付体２００が取付面に水平に取り付けられる場合、照明器具１００の中心線とこの水平面との角度として定義される。所与の例では、この角度の正の値は、この平面より下の照明器具１００の向きを示し、この角度の負の値は、この平面より上の照明器具１００の向きを示す。しかしながら、これは任意の慣例であり、代わりに任意の適切な代替慣例が使用されてもよいことを理解されたい。
【００３７】
照明器具１００の設置者が正しい（例えば所定の）取付角度の下で照明器具を設置することを支援するために、照明器具１００及び取付体２００は、照明器具１００が取付体２００と係合される正しい角度を設置者が設定することを支援する視覚補助(visual aid)を有してもよい。例えば、突出部１３０の外側面１３４は、照明器具１００が取付体２００に対して位置決めされ得る角度の範囲を定義する分度器部等の目盛り１３８を表示してもよく、対向する凹側部分２３０の側面は、目盛り１３８上の所望の角度値とのインジケータ２３８の位置合わせが達成されるまで係合解除されたコンフィギュレーションにおいて照明器具１００を取付体２００に対して（又はその逆に）回転させることにより目盛り１３８上の所望の角度値でのインジケータ２３８の位置合わせを可能にする矢じり等のインジケータ２３８を表示してもよい。このために、インジケータ２３８は、好ましくは、取付体２００の中心線上に位置付けられ、目盛り１３８は、好ましくは、照明器具１００の（取付部１１０）の中心線上に中心付けられる。このような位置合わせをさらに容易にするために、インジケータ２３８は、好ましくは、第２のさらなるギアホイール２３１の近くに位置し、目盛り１３８は、好ましくは、第２のギアホイール１３１の近くに位置する。
【００３８】
一実施形態では、取付部１１０はさらに、係合解除されたコンフィギュレーションにおいて取付体２００に対する照明器具１００の過回転(over-rotation)を防止する対向するストップ部分１３７、１３９を有してもよい。このような過回転、すなわち、最大許容角度を超える角度の下での取付体２００に対する照明器具１００の位置決めは、対向するギアホイール１２１、２２１及び１３１、２３１のわずかな部分しか互いに係合しないことにつながり、照明器具１００と取付体２００との間の結合の構造的完全性を損なう可能性がある。対向するストップ部分１３７、１３９は、典型的には、照明器具１００と取付体２００との間の各最大許容角度において、第２のギアホイール１３１と係合するように構成される第２のさらなるギアホイール２３１の端部部分が、照明器具１００と取付体２００との間の係合解除されたコンフィギュレーションにおいてストップ部分１３７、１３９の１つに接触して、このような過回転を防止するように、各第２のギアホイール１３１の対向する端部に配置される。
【００３９】
取付体２００に対する照明器具１００の所望の位置決めの後、取付体２００及び／又は照明器具１００は、照明器具１００のそれぞれのギアホイール１２１、１３１を取付体２００のそれぞれのさらなるギアホイール２２１、２３１と係合させるためにガイドピン２０に沿って横方向に変位されて、照明器具１００をその所望の向きで「ロック」してもよい。取付体２００との所望の向きでの照明器具１００の係合が誤って元へ戻されることができないように取付体２００を照明器具１００にロックするために、照明器具取付キット１０はさらに、取付体２００を照明器具１００の取付部１１０に締結するための一対の締結ねじ３０（又はそれ以上）を含んでもよい。このような締結ねじ３０は、典型的には、取付体２００の一部を通って延び、照明器具１００の取付部１１０上に固定される。例えば、取付体２００の側部分２３０の各々は、このような締結ねじ３０を受け入れるためのスロット又はチャネル２３５を画定してもよく、一方、対向する突出部１３０の各々は、締結ねじ３０を固定するためのねじ穴１３５を有してもよく、それによって、照明器具１００のそれぞれのギアホイール１２１、１３１とそれぞれのさらなるギアホイール２２１、２３１との間の係合を固定してもよい。各締結ねじ３０は、当業者にはそれ自体よく知られているように、例えば締結ねじ３０の滑りを防止するために、１つ以上のスペーサリング３２、３４を備えてもよい。疑義を避けるために、「締結ねじ(fastening screw)」という用語は狭く解釈されるべきではなく、この用語は、係合したコンフィギュレーションにおいて取付体２００を照明器具１００に固定するために使用され得る任意の固定部材を対象とすることが意図されていることに留意されたい。
【００４０】
したがって、要約すると、本発明の実施形態による照明器具取付キット１０は、非限定的な例として取付ポスト等の取付面への照明器具１００の直接的な設置方法を可能にする。この設置方法では、設置者は、単純に、任意の適切な方法で、例えば非限定的な例としてネジ４０及びナット４２を用いて、取付体２００をこの取付面に取り付け、取付体２００を取付部１１０に入れ(slot)、照明器具１００を取付体２００に対して所望の向きに位置決めし、例えば締結ねじ３０を用いて、照明器具１００を取付体に固定してもよい。以上述べたように、照明器具１００を取付体２００に対して所望の向きに位置決めすることは、取付部１１０の第１のギアホイール部分１２１及び第２のギアホイール部分１３１を、取付体２００のそれぞれの第１のさらなるギアホイール部分２２１及び第２のさらなるギアホイール部分２３１から係合解除すること（を維持すること）と、所望の向きを得るために取付体２００に対する照明器具１００の向き角度を調整することと、取付部１１０の第１のギアホイール部分１２１及び第２のギアホイール部分１３１を、取付体２００のそれぞれの第１のさらなるギアホイール部分２２１及び第２のさらなるギアホイール部分２３１と係合させることとを含んでもよい。
【００４１】
上述した実施形態は本発明を限定するものではなく、例示するものであり、当業者は添付の特許請求の範囲から逸脱することなく多くの代替的な実施形態を設計できることに留意されたい。請求項では、括弧内のいかなる参照符号も、その請求項を限定するものとして解釈されるべきではない。「含む（comprising）」という語は、請求項に列挙された要素又はステップ以外の要素又はステップの存在を排除するものではない。要素に先行する冠詞「１つの（ａ）」又は「１つの（ａｎ）」は、複数のそのような要素が存在することを排除するものではない。本発明は、複数の個別の要素を有するハードウェアにより実現されることができる。いくつかの手段を列挙するデバイスの請求項において、これらの手段のいくつかは、同一のハードウェアのアイテムにより具体化されることができる。特定の手段が、互いに異なる従属請求項内に列挙されているという単なる事実は、これらの手段の組み合わせが、有利に使用され得ないことを示すものではない。
【図１】
2021527935.tif 000003
【図２】
2021527935.tif 000004
【図３】
2021527935.tif 000005
【図４】
2021527935.tif 000006
【図５】
2021527935.tif 000007
【図６】
2021527935.tif 000008
【図７】
2021527935.tif 000009
【図８】
2021527935.tif 000010
【図９】
2021527935.tif 000011
【図１０】
2021527935.tif 000012
【国際調査報告】
2021527935.tif 000013
2021527935.tif 000014